(57)【要約】【課題】移動機の位置登録の効率化、および網の無線リソースの効率化を図ること。【解決手段】移動機（１００）は、位置登録エリア（ＬＡ１）から（ＬＡ２）へ移動したとき、位置登録要求を網に送信する。網側の移動交換機（１０４）は、移動機（１００）の着信記録（５０３）を参照し、着信回数（Ｑ）が閾値（Ｒ）を超えておらず、位置登録エリア（ＬＡ１⇔ＬＡ２）間の移動回数（Ｍ）が閾値（Ｎ）を超えたとき、これらを同一の位置登録エリア（ＬＡ１＋ＬＡ２）とし、移動機（１００）に通知する。通知を受けた移動機（１００）は、拡張した位置登録エリア（ＬＡ１＋ＬＡ２）を記録する。これにより、移動機（１００）が再び位置登録エリア（ＬＡ１）に移動しても、同一の位置登録エリア内での移動と判断し、網に対する新たな位置登録要求を送信せず、無線リソースを効率的に使用できるようになる。【選択図】図１
2008136241.tif 000002
【特許請求の範囲】
【請求項１】
複数の位置登録エリアの間を移動自在な移動機に対する所定期間の着信回数を記録する着信記録手段と、
前記移動機が異なる位置登録エリアに移動した毎に、該移動機が移動した過去の位置登録エリアの間の移動状態を記録する移動記録手段と、
前記着信記録手段に記録された前記着信回数と、前記位置登録エリアの間の移動記録に基づき、過去の位置登録エリアに新たな位置登録エリアを結合させるか否か判断して前記移動記録手段に記録すると共に、前記結合により拡張した位置登録エリアを前記移動機に通知する位置登録エリア拡張手段と、
を備えたことを特徴とする移動交換機。
【請求項２】
前記位置登録エリア拡張手段は、前記着信記録手段に記録された前記着信回数が予め定めた着信の閾値を超えず、かつ、前記移動記録手段に記録された一定時間内における位置登録エリアの間の移動回数が予め定めた回数の閾値を超えたときに、過去の位置登録エリアに新たな位置登録エリアを結合させることを特徴とする請求の範囲第１項に記載の移動交換機。
【請求項３】
前記移動機に対する着信時に、前記移動記録手段に記録された前記移動機の位置登録エリア全てに対して着信通知を行うページング要求手段を備えたことを特徴とする請求の範囲第１項に記載の移動交換機。
【請求項４】
前記移動記録手段は、前記移動機が新たな位置登録エリアに移動し、該移動機から位置登録要求を受けた毎に、該移動機に関する現在の位置登録エリアと、該現在の位置登録エリアに結合される過去に移動した全ての旧位置登録エリアと、該旧位置登録エリアと前記現在の位置登録エリアとの間を移動した情報を時刻と共に記録することを特徴とする請求の範囲第１項〜第３項のいずれか一つに記載の移動交換機。
【請求項５】
前記移動機への着信時に、前記着信記録手段に記録された前記着信回数が前記着信の閾値を超えたときに、前記移動記録手段に記録された位置登録エリアをクリアし、前記移動機に対して拡張した位置登録エリアの解除を通知する位置登録エリア拡張解除手段を備えたことを特徴とする請求の範囲第１項〜第３項のいずれか一つに記載の移動交換機。
【請求項６】
前記着信記録手段は、前記移動機への着信があった毎に、該着信の情報と、着信の時刻を記録することを特徴とする請求の範囲第５項に記載の移動交換機。
【請求項７】
前記移動記録手段は、前記移動機に対して位置登録エリアを通知するために、現在の位置登録エリアを格納する位置登録エリア格納手段と、
前記位置登録エリア拡張手段により拡張された位置登録エリアを格納する拡張位置登録エリア格納手段と、
を備えたことを特徴とする請求の範囲第１項〜第３項のいずれか一つに記載の移動交換機。
【請求項８】
移動機から位置登録要求を受けたときに、位置登録要求応答信号を用いて前記移動機に対して位置登録エリアを通知するための位置登録要求応答手段を備え、
該位置登録要求応答手段は、前記位置登録エリア格納手段に格納された現在在圏している一つの位置登録エリアを前記位置登録要求応答信号の登録完了位置登録エリアに設定し、前記拡張位置登録エリア格納手段に格納されている拡張された位置登録エリアを前記位置登録要求応答信号の拡張した拡張登録完了位置登録エリアに設定して、前記移動機に通知することを特徴とする請求の範囲第７項に記載の移動交換機。
【請求項９】
移動交換機を含む網が有する複数の位置登録エリア内で通信でき、前記移動交換機により移動時の位置情報の管理、および発着信の交換制御が行われる移動機において、
前記移動交換機から位置登録エリアの登録が通知される毎に、過去に移動した位置登録エリアに対し、前記通知された新たな位置登録エリアを追加して記録する位置登録エリア記憶手段と、
前記位置登録エリア記憶手段に記録されていない新たな位置登録エリアに移動したときに、前記移動交換機に対して該新たな位置登録エリアの位置登録を要求し、前記位置登録エリア記憶手段に記録されている位置登録エリア内での移動については、前記移動交換機に対する位置登録を要求しない位置登録要求手段と、
を備えたことを特徴とする移動機。
【請求項１０】
前記位置登録エリア記憶手段は、前記位置登録要求応答信号に含まれる現在在圏している一つの位置登録エリアを示す登録完了位置登録エリアを格納する最終位置登録エリア格納手段と、
前記位置登録要求応答信号に含まれる過去に移動した全ての位置登録エリアを示す拡張登録完了位置登録エリアを格納する最終位置登録エリア拡張格納手段と、
を備えたことを特徴とする請求の範囲第９項に記載の移動機。
【請求項１１】
前記移動交換機から着信通知であるページング要求信号を受けたとき、該ページング要求信号に拡大位置登録解除通知が含まれている場合には、前記最終位置登録エリア格納手段と、前記最終位置登録エリア拡張格納手段に格納されている全ての位置登録エリアをクリアする拡張位置登録エリア解除手段を備えたことを特徴とする請求の範囲第１０項に記載の移動機。
【請求項１２】
前記拡張位置登録エリア解除手段は、全ての位置登録エリアをクリアしたときには、前記移動交換機に送信するページング要求応答信号に拡大位置登録解除応答を含み前記移動交換機に通知することを特徴とする請求の範囲第１１項に記載の移動機。
【請求項１３】
前記拡張位置登録エリア解除手段は、全ての位置登録エリアをクリアしたときには、前記位置登録エリア記憶手段に位置登録を再要求するための再登録用識別情報を書き込み、
前記位置登録要求手段は、前記位置登録エリア記憶手段に対する前記再登録用識別情報の書き込みに基づいて、前記移動交換機に対し現在在圏している位置登録エリアの位置登録を要求することを特徴とする請求の範囲第１１項または第１２項に記載の移動機。
【請求項１４】
網が有する複数の位置登録エリア内で移動しながら通信自在な移動機と、前記移動機の位置情報を管理し、前記移動機との間での発着信の交換制御を行う移動交換機とを備えた移動通信システムにおいて、
前記移動交換機は、
前記移動機に対する所定期間の着信回数を記録する着信記録手段と、
前記移動機が異なる位置登録エリアに移動した毎に、該移動機が移動した過去の位置登録エリアの間での移動状態を記録する移動記録手段と、
前記着信記録手段に記録された前記着信回数が予め定めた着信の閾値を超えず、かつ、前記移動記録手段に記録された一定時間内における位置登録エリアの間の移動回数が予め定めた回数の閾値を超えたときに、過去の位置登録エリアに新たな位置登録エリアを結合させて前記移動記録手段に記録すると共に、該結合により拡張した位置登録エリアを前記移動機に通知する位置登録エリア拡張手段とを備え、
前記移動機は、
前記移動交換機から通知される前記拡張した位置登録エリアを記録する位置登録エリア記憶手段と、
前記位置登録エリア記憶手段に記録されていない新たな位置登録エリアに移動したときに、前記移動交換機に対して新たな位置登録エリアの位置登録を要求し、前記位置登録エリア記憶手段に記録されている位置登録エリア内での移動については、前記移動交換機に対する位置登録を要求しない位置登録要求手段とを備えたことを特徴とする移動体通信システム。
【請求項１５】
前記移動交換機は、
前記移動機への着信時に、前記着信記録手段に記録された前記着信回数が前記着信の閾値を超えたときに、前記移動記録手段に記録された位置登録エリアをクリアし、前記移動機に対して拡張した位置登録エリアの解除を通知する位置登録エリア拡張解除手段を備え、
前記移動機は、
前記移動交換機から着信通知を受けたとき、該着信通知に前記位置登録エリア解除の通知が含まれている場合には、前記位置登録エリア格納手段に格納されている全ての位置登録エリアをクリアする拡張位置登録エリア解除手段を備えたことを特徴とする請求の範囲第１４項に記載の移動体通信システム。
【請求項１６】
移動機との間で通信を行い、前記移動機の位置情報を管理し、前記移動機と間での発着信の交換制御を行う移動交換機における位置登録拡張方法であって、
前記移動機に対する所定期間の着信回数を記録する着信記録工程と、
前記移動機が異なる位置登録エリアに移動した毎に、該移動機が過去に移動した位置登録エリアの間での移動状態を記録する移動記録工程と、
前記着信回数が予め定めた着信の閾値を超えず、かつ、一定時間内における位置登録エリアの間の移動回数が予め定めた回数の閾値を超えたときに、過去の位置登録エリアに新たな位置登録エリアを結合させ、該結合により拡張した位置登録エリアを前記移動機に通知する位置登録エリア拡張工程と、
を含むことを特徴とする位置登録拡張方法。
【請求項１７】
前記移動機への着信を検出する着信検出工程と、
前記着信が検出されたときに、前記着信回数を参照し、該着信回数が予め定めた着信の閾値を超えたときに、該移動機に関して記録していた位置登録エリアをクリアする位置登録エリア拡張解除工程と、
前記移動機に対して拡張した位置登録エリアの解除を通知する位置登録エリア拡張解除通知工程と、
を含むことを特徴とする請求の範囲第１６項に記載の位置登録拡張方法。
【請求項１８】
網が有する複数の位置登録エリア内で移動し、該移動による位置情報を管理する移動交換機に対して位置登録を要求するための移動機における位置登録拡張方法であって、
過去に移動した位置登録エリアの記録を参照して、新たな位置登録エリアに移動したとき、前記移動交換機に対する新たな位置登録を要求する位置登録要求工程と、
前記移動交換機から位置登録の要求応答の通知に基づき、過去に移動した位置登録エリアに対し、前記通知された新たな位置登録エリアを追加して記録する位置登録エリア記憶工程と、
を含むことを特徴とする位置登録拡張方法。
【請求項１９】
前記移動交換機から着信通知を受けたとき、該着信通知に拡大位置登録解除通知が含まれている場合には、該移動機に記録されている全ての位置登録エリアをクリアする拡張位置登録エリア解除工程を含むことを特徴とする請求の範囲第１８項に記載の位置登録拡張方法。
【請求項２０】
網が有する複数の位置登録エリア内で移動機が移動し、該移動機に関する位置情報を移動交換機で管理する位置登録拡張方法であって、
前記移動機が過去に移動した位置登録エリアを記録する移動記録工程と、
前記移動機に対する所定期間の着信回数を記録する着信記録工程と、
前記着信回数が予め定めた着信の閾値を超えず、かつ、一定時間内における位置登録エリアの間の移動回数が予め定めた回数の閾値を超えたときに、過去の位置登録エリアに新たな位置登録エリアを結合させて記録する移動記録拡張工程と、
前記結合により拡張した位置登録エリアを前記移動機に通知する拡張通知工程と、
を含むことを特徴とする位置登録拡張方法。
【請求項２１】
前記結合された位置登録エリアの記録に基づき、新たな位置登録エリアに移動したときのみ、前記移動機から前記移動交換機に対して新たな位置登録の要求を行わせる位置登録要求工程を含むことを特徴とする請求の範囲第２０項に記載の位置登録拡張方法。
【請求項２２】
前記移動機への着信時に、該移動機に対する着信回数が前記着信の閾値を超えたときに、前記拡張した位置登録エリアをクリアする位置登録エリア拡張解除工程を含むことを特徴とする請求の範囲第２０項に記載の位置登録拡張方法。
【発明の詳細な説明】
【技術分野】
【０００１】
本発明は、移動体通信網における移動機が在圏している位置の登録に関し、特に、移動機の移動状態および通信状態に対応した適切な位置登録を行い、無線リソースを効率的に使用できる移動交換機、移動機、移動体通信システムおよび位置登録拡張方法に関する。
【背景技術】
【０００２】
移動体通信システムは、移動機（ＵＥ）と、基地局制御装置（ＲＮＣ）と、基地局（ＢＳ）と、移動交換機（ＭＳＣ）と、移動交換機に設けられ、移動機の位置情報を登録しているロケーションレジスタ（ＶＬＲ）とを有して構築されている。このような移動体通信システムにおいて、移動機の場所は固定ではなく常に移動する。このため、移動機への着信時にその通信を確立できるように、網（移動交換機）側では、移動機の位置を予め位置登録する管理が必要である。
【０００３】
具体的には、移動機の位置は、移動交換機に設けられたロケーションレジスタ内で加入者情報の一部として位置登録エリアと呼ばれる地域的区分により管理されている。また、移動機側にもロケーションレジスタと同じ位置登録エリア情報が記録されている。移動機の位置登録手順は、移動機が電源を入れた際と、その後、通信中ではない移動機が位置登録エリアを跨って移動する際に、移動機側から網に対して要求し実行される。
【０００４】
ところで、近年、移動体通信システムを利用するユーザが増え、網上のデータ量も増えてきている。ここで、移動機と、網側の基地局間との無線リソースには限りがあることから、この無線リソースを効率よく利用するさまざまな方法が検討されている。
【０００５】
従来の位置登録方法としては、例えば、移動機が位置登録エリアを跨って移動する場合、位置登録エリアを跨った時点で、常に位置登録を行うよう構成したものがある。網は、移動機に着信のための呼び出し（Ｐａｇｉｎｇ）信号を送出するエリアを確定するために、常に移動機の在圏エリアを認識する。
【０００６】
第１２図は、従来の移動機の位置登録手順の一例を説明するためのシーケンス図である。この図を用いて位置登録手順を順に説明する。存在する位置登録エリアはＬＡ１，ＬＡ２，ＬＡ３の３つであるとする。
【０００７】
はじめに、（１）移動機１００は、基地局（ＢＳ１）１０１の位置登録エリアＬＡ１内に存在しており、基地局１０１および基地局制御装置（ＲＮＣ１）１１１を介して、この位置登録エリアＬＡ１が、移動交換機（ＭＳＣ）１０４内のロケーションレジスタＶＬＲに登録されているとする（ステップＳ１２００）。
【０００８】
次に、（２）移動機１００が新しい位置登録エリアＬＡ２に移動したとする（ステップＳ１２０１）。このとき、移動機１００は、在圏エリアの報知情報Ｄ１により新たな位置登録エリアＬＡ２に入ったことを認識する（ステップＳ１２０２）。そして、旧位置登録エリアＬＡ１が設定された位置情報登録要求Ｄ２を基地局（ＢＳ２）１０２および基地局制御装置（ＲＮＣ２）１１２を介して移動交換機１０４のロケーションレジスタＶＬＲに対して送信する。
【０００９】
次に、（３）移動機１００から位置情報登録要求Ｄ２を受信した移動交換機１０４は、受信した信号から、該当する移動機１００が位置登録エリアＬＡ２に在圏することを認識して、ロケーションレジスタＶＬＲの最終位置登録エリアをＬＡ２に変更する（ステップＳ１２０３）。その後、移動交換機１０４は、位置情報登録要求応答Ｄ３を移動機１００に返信し、最終位置登録エリアがＬＡ２であることを通知する。
【００１０】
次に、（４）位置情報登録要求応答Ｄ３を受信した移動機１００は、位置登録が完了したことを認識し、移動機１００内の位置情報記憶エリアに、最終位置登録エリアとしてＬＡ２を書き込み、記憶する（ステップＳ１２０４）。
【００１１】
次に、（５）移動機１００が位置登録エリアＬＡ３に移動したとする（ステップＳ１２０５）。このとき、移動機１００は、在圏エリアの報知情報Ｄ４により、新たな位置登録エリアがＬＡ３に入ったことを認識する（ステップＳ１２０６）。そして、位置登録エリアＬＡ２に移動したときと同様の位置登録手順を実施する。まず、旧位置登録エリアＬＡ２が設定された位置情報登録要求Ｄ５を基地局（ＢＳ３）１０３および基地局制御装置（ＲＮＣ３）１１３を介して移動交換機１０４のロケーションレジスタＶＬＲに対して送信する。
【００１２】
次に、（６）移動機１００から位置情報登録要求Ｄ５を受信した移動交換機１０４は、受信した信号から、該当する移動機１００が位置登録エリアＬＡ３に在圏することを認識して、ロケーションレジスタＶＬＲの最終位置登録エリアをＬＡ３に変更する（ステップＳ１２０７）。その後、移動交換機１０４は、位置情報登録要求応答Ｄ６を移動機１００に返信し、最終位置登録エリアがＬＡ３であることを通知する。
【００１３】
次に、（７）位置情報登録要求応答Ｄ６を受信した移動機１００は、位置登録が完了したことを認識し、移動機１００内の位置情報記憶エリアに、最終位置登録エリアとしてＬＡ３を書き込み、記憶する（ステップＳ１２０８）。
【００１４】
以上のように、位置登録エリアＬＡ１にいた移動機１００が、位置登録エリアＬＡ２に移動したとき、移動機１００は、網に対して位置登録手順を実施して、移動機１００および移動交換機１０４のロケーションレジスタＶＬＲの位置情報が位置登録エリアＬＡ２に更新される。これにより、該当する移動機１００に着信があった場合に、網は、移動機１００が位置登録エリアＬＡ２に在圏していることを認識して、該当する位置登録エリアＬＡ２に対して呼び出し（Ｐａｇｉｎｇ）手順を行うことになる。同様に、移動機１００が新たな位置登録エリアＬＡ３に移動したときには、位置情報が位置登録エリアＬＡ３に更新される。
【００１５】
このように、従来の移動体通信では、網は、移動機の位置を複数の基地局で構成される位置登録エリア単位で把握している。そして、網から移動機に着信させる際に、位置登録エリアを的確に把握するために、位置登録エリアの更新が重要となる。このような、移動機の位置登録エリアの更新にかかる技術としては、下記の特許文献１〜３に開示された技術がある。
【００１６】
【特許文献１】特開平７−８７５５４号公報
【特許文献２】特開平７−２５０３６５号公報
【特許文献３】特開２０００−２３２３４号公報
【発明の開示】
【発明が解決しようとする課題】
【００１７】
しかしながら、従来技術によれば、位置登録エリアを跨って移動する毎に、着信頻度の大小にかかわらず、網に対して着信の呼び出し（Ｐａｇｉｎｇ）エリアを確定するために一様に位置登録情報の更新にかかる処理が行われていた。このため、移動機が位置登録エリアの境界付近を頻繁に移動した場合には、いずれか一方の位置登録エリアに入るたびに、上述した位置登録情報の更新処理が行われることになる。特に、着信頻度が低い移動機が位置登録情報の更新を頻繁に行ったときには、網の無線リソースを無駄に使用していることになり、網の無線リソースを効率的に使用することができなかった。
【００１８】
この発明は、上記問題点に鑑みてなされたものであって、移動機の移動状態および通信状態を適切に管理して移動機の位置登録を効率的に行え、網の無線リソースを効率的に利用できる移動交換機、移動機、移動体通信システムおよび位置登録拡張方法を提供することを目的とする。
【課題を解決するための手段】
【００１９】
上述した課題を解決し、目的を達成するため、本発明は、以下のことを特徴とする。移動交換機は、移動機に対する所定期間の着信回数を記録する着信記録手段と、移動機が異なる位置登録エリアに移動した毎に、移動機が移動した過去の位置登録エリアの間での移動状態を記録する移動記録手段と、着信記録手段に記録された着信回数が予め定めた着信の閾値を超えず、かつ、前記移動記録手段に記録された一定時間内における位置登録エリアの間の移動回数が予め定めた回数の閾値を超えたときに、過去の位置登録エリアに新たな位置登録エリアを結合させて移動記録手段に記録すると共に、結合により拡張した位置登録エリアを移動機に通知する位置登録エリア拡張手段とを備える。移動機は、移動交換機から通知される拡張した位置登録エリアを記録する位置登録エリア記憶手段と、位置登録エリア記憶手段に記録されていない新たな位置登録エリアに移動したときにのみ移動交換機に対して新たな位置登録エリアの位置登録を要求し、位置登録エリア記憶手段に記録されている位置登録エリア内での移動については、移動交換機に対する位置登録を要求しない位置登録要求手段とを備える。
【発明の効果】
【００２０】
この発明によれば、移動交換機は、移動機が異なる位置登録エリアに移動する毎に、この移動状態を記録、管理する。移動機は、位置登録エリア記憶手段に記録されていない新たな位置登録エリアに移動したときにのみ、移動交換機に対して新たな位置登録エリアの位置登録を要求する。この移動機は、拡張された位置登録エリア内での移動については、移動交換機に対する位置登録を要求しないので、位置登録要求を行うことによる網への通信負荷を軽減して、無線リソースを効率的な利用を図ることができる。
【発明を実施するための最良の形態】
【００２１】
以下に、本発明の実施の形態について図面を参照しつつ詳細に説明する。第１図は、本発明にかかる移動体通信システムを構成する移動機と網の各構成、および位置登録エリアを示す概要図である。図示のように、網は通信のサービスエリアに相当する複数の位置登録エリアＬＡ１，ＬＡ２，ＬＡ３を有している。携帯電話機等の移動機（ＵＥ）１００は、これらの位置登録エリアＬＡ１，ＬＡ２，ＬＡ３内を移動しながら通話が行えるようになっている。
【００２２】
網は、位置登録エリアＬＡ１，ＬＡ２，ＬＡ３を有し、各移動機１００との間で無線電波を用いた通信（通話を含む）を行う複数の基地局（ＢＳ，１０１）１０１ａ，１０１ｂ，１０１ｃと、各基地局１０１に接続される基地局制御装置（ＲＮＣ，１１１）１１１ａ，１１１ｂ，１１１ｃと、各基地局制御装置１１１に接続され、外部の中継網（および網内部での移動機１００同士を含む）との間で通話の発信および着信を制御する移動交換機（ＭＳＣ）１０４とを有している。移動交換機１０４内部には、移動機１００の位置情報を登録するロケーションレジスタ（ＶＬＲ）１０５が設けられている。ロケーションレジスタ１０５は、移動機１００の位置を、加入者情報の一部として位置登録エリアと呼ばれる地域的区分により管理している。
【００２３】
基地局１０１は、移動機１００を配下にもつ。基地局制御装置１１１は、基地局１０１経由で報知信号を移動機１００に送信する手段を有している。移動機１００は、基地局制御装置１１１から基地局１０１を経由して送信される報知情報を受信する手段を有している。報知情報内には、この報知情報を送信した基地局１０１が属する位置登録エリア情報が含まれている。
【００２４】
移動機１００は、この位置登録エリア情報により自身が在圏する位置登録エリアを認識し、異なる位置登録エリアへ移動した場合、ロケーションレジスタ１０５に対して所定の位置登録を行うための手段を有している。また、移動機１００側には、ロケーションレジスタ１０５と同じ位置登録エリア情報を記録するための手段を有している。
【００２５】
移動交換機１０４は、他の網から配下の移動機１００に対する着信時、移動機１００に対して着信通知を行う手段を有する。他の網から着信信号を受信すると、ロケーションレジスタ１０５に記憶されている該当する移動機１００の最終位置登録エリア情報を検索し、位置登録エリア全体に相当する基地局制御装置１１１および基地局１０１を経由してページング（Ｐａｇｉｎｇ）による着信通知を行い、移動機１００に着信時の処理を起動させる。
【００２６】
第２図は、移動機（ＵＥ）の内部構成を示すブロック図である。移動機１００は、アンテナ２０１と、受信部２０２と、送信部２０３と、信号解析部２０４と、位置登録エリア記憶部２０５と、位置登録要求部２０６と、ページング応答部２０７とを有している。移動機１００は、位置登録エリアを拡張した状態で保持する機能を有している。
【００２７】
第３図は、移動交換機（ＭＳＣ）の内部構成を示すブロック図である。移動交換機１０４は、外部の中継網との間で移動機１００に対する着信、および移動機１００からの発信を行うと共に、これら着信および発信時に移動機１００が位置している位置登録エリアに該当する基地局（ＢＳ）に対して基地局制御装置（ＲＮＣ）を介して網制御を行う。この移動交換機１０４は、受信部３０１と、送信部３０２と、信号解析部３０３と、加入者情報記憶部３０４と、位置登録要求応答部３０５と、ページング要求部３０６とを有している。加入者情報記憶部３０４の一部がロケーションレジスタ（ＶＬＲ）１０５として用いられ、位置登録エリアに関する情報を格納する。以下の説明では、加入者情報記憶部３０４がロケーションレジスタ１０５の機能を有しているものとして説明する。
【００２８】
次に、この発明の主要な構成部である位置登録エリアの拡張にかかる構成について説明する。この発明においては、移動機１００の位置登録回数を減らすために、移動頻度が高く、着信頻度が少ない移動機１００については、最終位置登録エリア情報として複数の位置登録エリアを結合させて記憶する。例えば、旧位置登録エリアＬＡ１であり、移動機１００が新たな位置登録エリアＬＡ２に移動したときの結合は、ＬＡ１＋ＬＡ２となり、これを位置登録エリアの拡張と称す。これにより、移動機１００が短時間に特定の位置登録エリアの間を頻繁に跨いで移動したときに、その都度、移動機１００が位置登録の処理を実行することがなく、網に対する位置登録の回数を減少させて網の無線リソースの効率的な使用を可能とするものである。このため、移動機１００および移動交換機１０４には、後述する位置登録エリア拡張、および位置登録拡張エリア解除を実行する手段を備える。
【００２９】
移動交換機１０４の加入者情報記憶部３０４は、移動機１００の移動状態を記録する移動記録手段と、着信記録手段の機能を有する。この移動記録手段は、移動機１００がある位置登録エリアから別の位置登録エリアへ移動した情報、およびその移動時の時刻を加入者情報記憶部３０４に記録する。移動機１００が位置登録の処理を実行する際に、移動記録手段は、移動機１００からの位置情報登録要求が基地局制御装置１１１を経由する際に付加される情報（メッセージを受信したセルと位置登録エリアの対応関係に関する情報）に基づき、移動機１００の現在の位置登録エリア（例えば、ＬＡ２）を認識することができる。また、位置情報登録要求には、旧位置登録エリア情報（例えば、ＬＡ１）が含まれているため、移動記録手段は、移動機１００がある位置登録エリアから別の位置登録エリアへ移動したこと（例えば、ＬＡ１→ＬＡ２への移動）を認識でき、位置登録エリアへ移動した情報と、移動した時刻を記録する。
【００３０】
着信記録手段は、移動機１００に着信があったこと、およびその時刻を加入者情報記憶部３０４（ロケーションレジスタ１０５）に記録する。移動交換機１０４の加入者情報記憶部３０４には、移動機１００の着信制御（呼制御）を行う際に移動機１００に着信があったことを認識し、着信の発生と、着信時刻を記録する。
【００３１】
移動交換機１０４の信号解析部３０３は、位置登録エリア拡張手段の機能を有している。この位置登録エリア拡張手段は、移動機１００に対する着信回数、および移動機１００の移動回数に応じて、移動機１００の位置登録エリアを拡張させる。加入者情報記憶部３０４は、上記の着信記録手段により記録した情報を基に、一定時間内の移動機１００への着信回数をカウントし、その着信回数が予め定められた閾値を超えていないことを確認する。その後、上記の移動記録手段により記録した情報を基に、一定時間内の移動機１００の移動回数をカウントし、その移動回数が予め定められた閾値を超えた場合、その移動機１００の最終位置登録エリアとして、移動に応じて複数の位置登録エリアを結合させることにより、位置登録エリアを拡張させる。拡張された複数の位置登録エリアは、移動機１００の位置登録完了エリアとして移動機１００に通知される。
【００３２】
また、移動交換機１０４の信号解析部３０３には、位置登録拡張エリア解除手段（不図示）の機能を有している。位置登録拡張エリア解除手段は、結合拡張された複数の位置登録エリアを元の個々の位置登録エリアに戻す。移動交換機１０４の加入者情報記憶部３０４では、移動機１００への着信時に、上記の着信記録手段により記録した情報を基に、一定時間内の移動機１００への着信回数をカウントする。そして、位置登録拡張エリア解除手段は、この着信回数が予め定められた閾値を超えた場合、拡張された複数の位置登録エリアを元の個々の位置登録エリアに戻すことを決定する。そして、該当する移動機１００に対してページング要求時に拡張位置登録解除通知を行う。
【００３３】
移動機１００の位置登録エリア記憶部２０５は、拡張エリア記憶手段（不図示）の機能を有している。この拡張エリア記憶手段は、位置登録時に位置登録完了エリアとして移動交換機１０４の加入者情報記憶部３０４（ロケーションレジスタ１０５）から通知された複数の位置登録エリアを記憶する。移動機１００に対しては、上記の移動交換機１０４の位置登録エリア拡張手段により、拡張された複数の位置登録エリアが位置登録完了エリアとして通知される。この位置登録完了エリアが最終位置登録エリア情報として移動機１００の位置登録エリア記憶部２０５の記憶エリアに書き込まれる。また、移動交換機１０４のページング要求により拡張位置登録解除通知がきたときには、位置登録エリア情報として拡張解除を示す情報（例えば、ＮＵＬＬ）を書き込み、ページング応答時に拡張位置登録解除応答を移動交換機１０４に返信する。
【００３４】
次に、位置登録の拡張に用いる各信号内容を説明する。第４図は、移動機と網（移動交換機）との間で送受される位置登録エリアの拡張および解除に関する信号内容を示す図である。移動機１００から網に対しては、位置登録要求信号４０１と、ページング応答信号４０４が送信される。網から移動機１００に対しては、位置登録要求応答信号４０２と、ページング要求信号４０３の各信号が送信される。図中、斜線で囲った部分がこの発明によって拡張された情報である。
【００３５】
位置登録要求信号４０１は、旧位置登録エリア４０１ａと、拡張旧位置登録エリア４０１ｂの情報を含む。拡張旧位置登録エリア４０１ｂは、旧位置登録エリア４０１ａが示す位置登録エリアと、現在見かけ上一つの位置登録エリアを構成している位置登録エリアのリストを移動機１００から網に送信するために設けられる。
【００３６】
なお、網側の基地局制御装置１１１には、移動機１００からのメッセージを受信したセルと、位置登録エリアの対応関係に関する情報とが予め設定されており、基地局制御装置１１１は、移動機１００から受信した位置登録要求信号４０１に対してこの在圏位置登録エリア４０１ｃを付加して送信する。
【００３７】
位置登録要求応答信号４０２は、登録完了位置登録エリア４０２ａと、拡張登録完了位置登録エリア４０２ｂの情報を含む。拡張登録完了位置登録エリア４０２ｂは、網が決定した登録完了位置登録エリア４０２ａにある位置登録エリアと見かけ上一つの位置登録エリアを構成する位置登録エリアを構成する位置登録エリアリストを移動機１００に送信するために設けられる。
【００３８】
ページング要求信号４０３は、着信ユーザ識別子４０３ａと、拡大位置登録解除通知４０３ｂの情報を含む。拡大位置登録解除通知４０３ｂは、網側から、拡大した位置登録エリアを全て元に戻すことを決定した通知を移動機１００に通知するために設けられる。
【００３９】
ページング応答信号４０４は、着信ユーザ識別子４０４ａと、拡大位置登録解除応答４０４ｂの情報を含む。拡大位置登録解除応答４０４ｂは、移動機１００がページング要求信号４０３に設定された拡大位置登録解除通知４０３ｂを受信、および識別し、拡大した位置登録エリアを全て元に戻したことを網側に通知するために設けられる。
【００４０】
このように、上記の各信号、すなわち、位置登録要求信号４０１、位置登録要求応答信号４０２、ページング要求信号４０３、ページング応答信号４０４には、いずれも拡張された情報が含まれている。このような本発明の拡張された情報は、既存（従来方式）の移動機１００および網においても問題なく既存の位置登録方式で使用できるようになっている。例えば、位置登録要求信号４０１において拡張された拡張旧位置登録エリア４０１ｂの情報については、この拡張された情報が考慮されていない既存の網では、拡張部分を破棄し、既存の旧位置登録エリア４０１ａの情報のみ解釈することができる。また、位置登録要求応答信号４０２において拡張された拡張登録完了位置登録エリア４０２ｂの情報については、この拡張された情報が考慮されていない既存の移動機１００では、拡張部分を破棄し、既存の登録完了位置登録エリア４０２ａの情報のみ解釈することができる。
【００４１】
また、ページング要求信号４０３において拡張された拡大位置登録解除通知４０３ｂの情報については、この拡張された情報が考慮されていない既存の移動機１００では、拡張部分を破棄し、既存の着信ユーザ識別子４０３ａの情報のみ解釈することができる。なお、既存の移動機１００は、位置登録エリアの拡張自体を想定していないため、位置登録エリアの拡張解除に関する処理を行わない。また、ページング応答信号４０４において拡張された拡大位置登録解除応答４０４ｂの情報についても、既存の移動機１００は、位置登録エリアの拡張自体を想定していないため、位置登録エリアの拡張解除の応答を行わない。このように、この発明は、既存の移動機１００および網に適用しても、この発明による位置登録エリアの拡張および拡張解除を行わないため、既存方式による位置登録が支障なく行える方式となっている。
【００４２】
第５図は、移動交換機の加入者情報記憶部に格納される位置登録エリアに関するデータを示す図である。加入者情報記憶部３０４（ロケーションレジスタ１０５）には、移動機１００からの位置登録要求信号４０１が送信される都度、移動機１００の位置登録エリアに関する各種の情報が格納される。
【００４３】
図示の加入者情報記憶部３０４は、各加入者（移動機１００のユーザ）毎に設けられる記憶部であり、この加入者情報記憶部３０４に格納される情報は、該当する加入者に関する、過去Ｌ時間の位置登録エリア移行記録５０１と、過去Ｌ時間の累計移動回数５０２と、過去Ｐ時間の着信記録５０３と、最終位置登録エリア情報５０４と、最終位置登録エリア情報拡張部５０５と、その他の加入者情報５０６と、からなる。ＬおよびＰの時間には、任意の値（時間）が予め設定される。最終位置登録エリア情報５０４に格納される位置登録エリアは、移動機１００に対して送信する位置登録要求応答信号４０２の登録完了位置登録エリア４０２ａの情報が格納され、最終位置登録エリア情報拡張部５０５に格納される位置登録エリアは、移動機１００に対して送信する位置登録要求応答信号４０２の拡張登録完了位置登録エリア４０２ｂの情報が格納される。
【００４４】
移動機１００は、位置登録要求時に、移動交換機１０４に対して位置登録要求信号４０１を送信する。この位置登録要求信号４０１は、上述したように、移動機１００の過去の位置である旧位置登録エリア４０１ａと、拡張旧位置登録エリア４０１ｂの情報と、基地局制御装置１１１によって付加された現在の移動機１００の位置である在圏位置登録エリア４０１ｃの情報を含む。
【００４５】
加入者情報記憶部３０４の過去Ｌ時間の位置登録エリア移行記録５０１には、移動機１００が過去Ｌ時間に移動した全ての位置登録エリアの情報と、移動時の時刻が記録される。過去Ｌ時間の累計移動回数５０２には、移動機１００が過去Ｌ時間に特定の位置登録エリアの間を移動した回数が記録される。着信記録５０３には、移動機１００に対する過去Ｐ時間の着信時刻が全て（図示の例では２つ）記録される。最終位置登録エリア情報５０４には、移動機１００の最終位置登録エリアが格納される。最終位置登録エリア情報拡張部５０５には、最終位置登録エリア５０４に含まれる位置登録エリアと見かけ上一つの位置登録エリアを構成する位置登録エリアのリストが格納される。
【００４６】
第６図は、移動機に設けられる位置登録エリア記憶部の内部構成を示す図である。位置登録エリア記憶部２０５は、最終位置登録エリア情報部６０１と、最終位置登録エリア情報拡張部６０２によって構成されている。網から送信される位置登録要求応答信号４０２は、上述したように、登録完了位置登録エリア４０２ａと、この発明により拡張（追加）された拡張登録完了位置登録エリア４０２ｂの情報を含む。これら、登録完了位置登録エリア４０２ａと、拡張登録完了位置登録エリア４０２ｂの情報は、見かけ上一つの位置登録エリアを構成している。
【００４７】
最終位置登録エリア情報部６０１には、最後に位置登録が完了した位置登録エリア、すなわち、網から送信される登録完了位置登録エリア４０２ａの情報が格納される。また、最終位置登録エリア情報拡張部６０２には、拡張登録完了位置登録エリア４０２ｂの情報が格納される。
【００４８】
（移動機における位置登録エリア拡大時の動作）
次に、この発明による位置登録エリア拡大時における移動機１００の動作を説明する。移動機１００は、網の位置登録エリア（ＬＡ１，ＬＡ２，ＬＡ３のいずれか）にいる場合、網より送信される報知情報をアンテナ２０１（第２図参照）を通して受信部２０２で受信する。信号解析部２０４は、受信した報知情報内に含まれる現在の位置登録エリア情報が、位置登録エリア記憶部２０５に記憶された最終位置登録エリア情報部６０１、または最終位置登録エリア情報拡張部６０２（第６図参照）の中に含まれているかどうか照合する。
【００４９】
信号解析部２０４は、最終位置登録エリア情報部６０１に格納された登録完了位置登録エリア４０２ａの情報と、最終位置登録エリア情報拡張部６０２に格納された拡張登録完了位置登録エリア４０２ｂの情報との照合を行う。その結果、報知情報によって受信した現在の位置登録エリアの情報が最終位置登録エリア情報部６０１、または最終位置登録エリア情報拡張部６０２に含まれていなかった場合には、位置登録要求部２０６に対して、網への位置登録処理を起動するよう指示する。
【００５０】
位置登録要求部２０６は、位置登録エリア記憶部２０５の最終位置登録エリア情報部６０１から登録完了位置登録エリア４０２ａの情報を取り出し、位置登録要求信号４０１（第５図参照）の旧位置登録エリア４０１ａに設定する。これと共に、最終位置登録エリア情報拡張部６０２に記録されている拡張登録完了位置登録エリア４０２ｂの情報を取り出して拡張旧位置登録エリア４０１ｂに設定し、これらを送信部２０３およびアンテナ２０１を経由して網（基地局１０１）に対して送信する。
【００５１】
一方、報知情報により受信した現在の位置登録エリア情報が位置登録エリア記憶部２０５に含まれていた場合、信号解析部２０４は、位置登録手順が不要と判断し、処理を終了する。網による位置登録処理が完了すると、移動機１００は、網から送信された位置登録要求応答信号４０２をアンテナ２０１を通して受信部２０２で受信する。信号解析部２０４は、位置登録が正常に完了したことを認識し、位置登録要求応答信号４０２に含まれる登録完了位置登録エリア４０２ａの情報を位置登録エリア記憶部２０５の最終位置登録エリア情報部６０１に格納し、位置登録要求応答信号４０２に拡張登録完了位置登録エリア４０２ｂの情報が含まれている場合には、この拡張登録完了位置登録エリア４０２ｂを最終位置登録エリア情報拡張部６０２に書き込む。この書き込みの際、既に格納されている元の情報は全て消去する。このようにして移動機１００は、網の指示によって位置登録エリア記憶部２０５に記憶される位置登録エリア情報を拡大していく。
【００５２】
（移動機における位置登録エリアの拡大解除時の動作）
次に、位置登録エリアの拡大解除にかかる移動機１００の動作について説明する。移動機１００は、着信時に網から送信されたページング要求信号４０３（第４図参照）をアンテナ２０１を通して受信部２０２で受信する。信号解析部２０４は、ページング要求信号４０３に拡大位置登録解除通知４０３ｂの情報が含まれていた場合、位置登録エリア記憶部２０５（第２図参照）に記録されている情報を全て消去し、ページング応答部２０７から送信部２０３およびアンテナ２０１を経由し、網に対して拡大位置登録解除応答４０４ｂの情報を含んだページング応答信号４０４（第４図参照）を送信するよう指示する。このようにして、移動機１００は、網の指示によって位置登録エリア記憶部２０５に記憶されている拡大された位置登録エリア（位置登録エリア情報）を全て消去する。
【００５３】
次に、移動交換機１０４側の位置登録エリアの拡大および解除の動作について説明する。移動交換機１０４は、移動機１００から位置登録要求信号４０１を受信したときには、位置登録エリアの拡大にかかる処理を実行する。一方、移動機１００への着信が発生したときには、拡大した位置登録エリアの解除にかかる処理を実行する。
【００５４】
（移動交換機における位置登録エリア拡大時の動作）
第７図は、位置登録エリア拡大時における移動交換機１０４の動作を説明するフローチャートである。移動機１００から位置登録要求信号４０１（第５図参照）が送信されると、この位置登録要求信号４０１は、基地局１０１および基地局制御装置１１１経由で、移動交換機１０４の受信部３０１により受信する。
【００５５】
これにより、移動交換機１０４の信号解析部３０３は、この位置登録要求信号４０１に含まれる旧位置登録エリア４０１ａに含まれる位置登録エリアと、拡張旧位置登録エリア４０１ｂに含まれる位置登録エリアを合わせた見かけ上の位置登録エリア（位置登録エリアＡとする）と、同時に送られてくる在圏位置登録エリア４０１ｃの情報に含まれる位置登録エリア（位置登録エリアＢとする）との間を移動機１００が移動したことを加入者情報記憶部３０４に、その時刻と共に記録する（ステップＳ７０１）。
【００５６】
具体的には、第５図に示すように、加入者情報記憶部３０４は、過去Ｌ時間の位置登録エリア移行記録５０１として、該当する移行位置登録エリアと移動時間の情報を記録する。過去Ｌ時間の累計移動回数５０２には、該当する移行位置登録エリアと累計移動回数を記録する。
【００５７】
また、信号解析部３０３は、位置登録要求信号４０１に含まれる在圏位置登録エリア４０１ｃの情報を加入者情報記憶部３０４の最終位置登録エリア情報５０４に設定する。
【００５８】
次に、過去Ｐ時間の間、この移動機１００への着信回数Ｑが、予め設定した閾値Ｒを超えた（Ｑ＞Ｒ）かどうかを判断する（ステップＳ７０２）。この判断は、加入者情報記憶部３０４の過去Ｐ時間の着信記録５０３を参照して行われる。ここで、移動機１００への着信回数Ｑが、予め設定した閾値Ｒ以下（Ｑ≦Ｒ）のときには（ステップＳ７０２：Ｎｏ）、次に、過去Ｌ時間の間、この移動機１００が過去に移動した位置登録エリアＡと、現在位置している位置登録エリアＢとの間を跨って移動した回数Ｍが、予め設定した閾値Ｎを超えた（Ｍ＞Ｎ）かどうかを判断する（ステップＳ７０３）。
【００５９】
この判断は、加入者情報記憶部３０４の過去Ｌ時間の累積移動回数５０２を参照して行われる。ここで、移動機１００の移動回数Ｍが、予め設定した閾値Ｎを超えた（Ｍ＞Ｎ）ときには（ステップＳ７０３：Ｙｅｓ）、位置登録エリアＡ＋Ｂの結合を決定し、この結合結果を加入者情報記憶部３０４に記録すると共に、移動機１００に対して通知する（ステップＳ７０４）。具体的には、最終位置登録エリア情報５０４に位置登録エリアＢを記録し、最終位置登録エリア情報拡張部５０５に新たに結合すべき位置登録エリアＡを記録する。
【００６０】
そして、位置登録要求応答部３０５に対して、移動機１００への位置登録要求応答信号４０２（第４図参照）の送信を指示する。位置登録要求応答部３０５は、加入者情報記憶部３０４内の最終位置登録エリア情報５０４、および最終位置登録エリア情報拡張部５０５に記録されている情報をそれぞれ取り出す。そして、位置登録要求応答信号４０２の登録完了位置登録エリア４０２ａの情報として、最終位置登録エリア情報５０４に記録された位置登録エリアＢを割り当て、拡張登録完了位置登録エリア４０２ｂの情報として、最終位置登録エリア情報拡張部５０５に記録された位置登録エリアＡを割り当てる。
【００６１】
この後、位置登録要求応答信号４０２を、送信部３０２から基地局制御装置（ＲＮＣ）１１１および基地局（ＢＳ）１０１を経由して移動機１００に対して送信し、位置登録エリアの拡大の処理を終了する。このようにして網は、移動機１００の移動記録および着信記録に基づいて見かけ上の位置登録エリアを拡大していく。
【００６２】
一方、ステップＳ７０２において、移動機１００への着信回数Ｑが、予め設定した閾値Ｒを超えている（Ｑ＞Ｒ）とき（ステップＳ７０２：Ｙｅｓ）、および、ステップＳ７０３において、移動機１００の移動回数Ｍが、予め設定した閾値Ｎ以下（Ｍ≦Ｎ）のときには（ステップＳ７０３：Ｎｏ）、この移動機１００の最終位置登録エリア情報をＢとし、移動機１００に対して通知し（ステップＳ７０５）、位置登録エリアの拡大の処理を終了する。
【００６３】
（移動交換機における位置登録エリア拡大解除時の動作）
第８図は、位置登録エリア拡大解除時における移動交換機の動作を説明するフローチャートである。外部の中継網から移動機１００に対する着信があると、移動交換機１０４の受信部３０１は、中継網からの着信要求を受信する。そして、信号解析部３０３は、その着信要求からどの加入者（移動機１００）に着信があったかを認識し、この後、該当する加入者用の加入者情報記憶部３０４に含まれる最終位置登録エリア情報拡張部５０５から拡大位置登録エリア適用中かどうか確認する（ステップＳ８０１）。
【００６４】
最終位置登録エリア情報拡張部５０５に情報が設定されているときには、拡大位置登録エリア適用中と判断し（ステップＳ８０１：Ｙｅｓ）、該当する加入者の過去Ｐ時間の着信記録５０３を参照して拡大位置登録エリアを解除するかどうかを決定する。この過去Ｐ時間の着信回数Ｑが予め設定した閾値Ｒを超えたか（Ｑ＞Ｒ）どうか判断する（ステップＳ８０２）。
【００６５】
ここで、過去Ｐ時間の着信回数Ｑが閾値Ｒを超えている（Ｑ＞Ｒ）ときには（ステップＳ８０２：Ｙｅｓ）、拡大位置登録エリアを解除するために、拡大された位置登録エリアを全て元に戻すことを決定する。そして、ページング要求部３０６より拡大位置登録解除通知４０３ｂ（第４図参照）の情報を含んだページング要求信号４０３を送信部３０２から基地局（ＢＳ）を経由して該当する移動機１００に通知する（ステップＳ８０３）。
【００６６】
この後、移動機１００から拡大位置登録解除応答４０４ｂの情報を含むページング応答信号４０４の受信の有無を判断する（ステップＳ８０４）。受信部３０１が移動機１００からページング応答信号４０４を受信し、信号解析部３０３が、このページング応答信号４０４に、拡大位置登録解除応答４０４ｂの情報を含んでいることを検出した場合には（ステップＳ８０４：Ｙｅｓ）、拡大された位置登録エリアを全て戻す（ステップＳ８０５）。具体的には、加入者情報記憶部３０４の最終位置登録エリア情報拡張部５０５に記録されている情報を全て消去した後、通常の着信処理を行う（ステップＳ８０６）。このようにして網は、移動機１００の着信頻度に基づき、着信頻度が多い移動機１００については、拡大させていた位置登録エリアを元に戻し、位置登録エリアの拡大解除の処理を終了する。
【００６７】
ところで、上記のステップＳ８０１において、最終位置登録エリア情報拡張部５０５に情報が設定されていなければ、拡大位置登録エリア非適用中と判断し（ステップＳ８０１：Ｎｏ）、通常の着信処理を行う（ステップＳ８０６）。同様に、ステップＳ８０２において、過去Ｐ時間の着信回数Ｑが閾値Ｒ以下である（Ｑ≦Ｒ）とき（ステップＳ８０２：Ｎｏ）、および、ステップＳ８０４において、移動機１００からのページング応答信号４０４を受信しなかったとき（ステップＳ８０４：Ｎｏ）、のいずれにおいても、次に、通常の着信処理を行い（ステップＳ８０６）、位置登録エリアの拡大解除の処理を終了する。
【００６８】
次に、以上説明した位置登録エリアの拡張および解除にかかる全体の処理手順を説明する。以下の説明では、加入者情報記憶部３０４が移動機１００の位置情報を登録しているロケーションレジスタ１０５に相当し、移動交換機１０４がロケーションレジスタ１０５としての加入者情報記憶部３０４にアクセスして位置登録エリアの拡張および拡張解除を行うものとする。
【００６９】
第９図は、位置登録エリアの拡張手順を示すシーケンス図である。図には、移動機（ＵＥ）１００と、各位置登録エリア（ＬＡ１〜ＬＡ３）をカバーする基地局（ＢＳ１〜３）１０１ａ〜１０１ｃと、基地局制御装置（ＲＮＣ１〜３）１１１ａ〜１１１ｃと、移動交換機（ＭＳＣ）１０４およびロケーションレジスタ（ＶＬＲ）１０５とが示され、各装置間での信号のやりとりが記載されている。以下、移動機１００が移動したときの位置登録エリアの拡大手順を具体的に説明する。
【００７０】
はじめに、移動機１００は、位置登録エリアＬＡ１で位置登録されていたとする（ステップＳ９０１）。この後、移動機１００が新たな位置登録エリアＬＡ２内へ移動したとする（ステップＳ９０２）。このとき、移動機１００は、位置登録エリアＬＡ２の基地局制御装置（ＲＮＣ２）１１１ｂから基地局（ＢＳ２）１０１ｂを介して報知情報（ＬＡ２）を受信する。
【００７１】
この報知情報に基づいて、移動機１００は、新たな位置登録エリア（ＬＡ２）に入ったことを認識する（ステップＳ９０３）。そして、第５図に示した位置登録要求信号４０１を送信する。この位置登録要求信号４０１の旧位置登録エリア４０１ａの情報は、旧登録位置エリアＬＡ１である。この位置登録要求信号４０１は、位置登録エリアＬＡ２の基地局（ＢＳ２）１０１ｂから基地局制御装置（ＲＮＣ２）１１１ｂを介して移動交換機（ＭＳＣ）１０４に送出される。
【００７２】
移動交換機（ＭＳＣ）１０４内の加入者情報記憶部３０４（ロケーションレジスタ１０５）は、位置登録要求信号４０１を受信すると、第５図に示す加入者情報記憶部３０４における、この移動機１００の最終位置登録エリア情報５０４をＬＡ２に変更する。また、過去Ｌ時間の位置登録エリア移行記録５０１に位置登録エリアＬＡ１⇔ＬＡ２の移動を時刻と共に記録する（ステップＳ９０４）。
【００７３】
次に、この移動機１００に対する過去Ｐ時間の着信記録５０３を参照し、単位時間当たりの着信回数Ｑが閾値Ｒを超えていないこと（第７図のステップＳ７０２：Ｎｏに該当）、および過去Ｌ時間の累積移動回数５０２を参照して単位時間当たりの位置登録エリアＬＡ１⇔ＬＡ２間の移動回数Ｍが閾値Ｎを超えたこと（第７図のステップＳ７０３：Ｙｅｓに該当）、がいずれも満たされるか判断する。いずれも満たされている場合には、位置登録エリアＬＡ１とＬＡ２を同一の位置登録エリア（ＬＡ１＋ＬＡ２）とすることを決定する（ステップＳ９０５）。
【００７４】
このとき、加入者情報記憶部３０４の最終位置登録エリア情報５０４には、ＬＡ２が記録され、最終位置登録エリア情報拡張部５０５には、ＬＡ１が記録される。そして、移動交換機１０４は、移動機１００に対して、第６図に示した位置登録要求応答信号４０２を送信する。この位置登録要求応答信号４０２の登録完了位置登録エリア４０２ａの情報としては、最終位置登録エリア情報５０４に記録されたＬＡ２が設定され、拡張登録完了位置登録エリア４０２ｂの情報としては、最終位置登録エリア情報拡張部５０５に記録されたＬＡ１が設定される。この位置登録要求応答信号４０２は、位置登録エリアＬＡ２の基地局制御装置（ＲＮＣ２）１１１ｂから基地局（ＢＳ２）１０１ｂを介して移動機１００に送信される。
【００７５】
移動機１００は、この位置登録要求応答信号４０２を受信すると、位置登録エリア記憶部２０５の最終位置登録エリア情報部６０１に登録完了位置登録エリア４０２ａの情報であるＬＡ２を書き込む。また、最終位置登録エリア情報拡張部６０２に拡張登録完了位置登録エリア４０２ｂの情報であるＬＡ１を書き込む（ステップＳ９０６）。
【００７６】
この後、移動機１００が再び位置登録エリアＬＡ１に移動したとする（ステップＳ９０７）。このとき、移動機１００は、位置登録エリアＬＡ１の基地局制御装置（ＲＮＣ１）１１１ａから基地局（ＢＳ１）１０１ａを介して報知情報（ＬＡ１）を受信する。この報知情報に基づいて、移動機１００は、位置登録エリア（ＬＡ１）に入ったことを認識する。このとき、移動機１００の位置登録エリア記憶部２０５には、既に、最終位置登録エリア情報部６０１にＬＡ２が書き込まれており、最終位置登録エリア情報拡張部６０２にＬＡ１が書き込まれている。すなわち、移動機１００は、このような拡張された位置登録エリアＬＡ１＋ＬＡ２内での移動時には、同一の位置登録エリア内での移動と判断して位置登録手順を起動させない（ステップＳ９０８）。
【００７７】
次に、第１０図は、位置登録エリアをさらに拡張させる手順を示すシーケンス図である。以下、第９図に示した拡張状態の位置登録エリアをさらに拡張させる手順を説明する。
【００７８】
移動機１００は、位置登録エリアＬＡ１＋ＬＡ２の拡張状態で位置登録されており、この後、この移動機１００が新たな位置登録エリアＬＡ３内へ移動したとする（ステップＳ１００１）。このとき、移動機１００は、位置登録エリアＬＡ３の基地局制御装置（ＲＮＣ３）１１１ｃから基地局（ＢＳ３）１０１ｃを介して報知情報（ＬＡ３）を受信する。
【００７９】
この報知情報に基づいて、移動機１００は、新たな位置登録エリア（ＬＡ３）に入ったことを認識する（ステップＳ１００２）。そして、第５図に示した位置登録要求信号４０１を送信する。この位置登録要求信号４０１の旧位置登録エリア４０１ａの情報は、旧位置登録エリアＬＡ２であり、拡張旧位置登録エリア４０１ｂの情報は、ＬＡ１である。この位置登録要求信号４０１は、位置登録エリアＬＡ３の基地局（ＢＳ３）１０１ｃから基地局制御装置（ＲＮＣ３）１１１ｃを介して移動交換機（ＭＳＣ）１０４に送出される。
【００８０】
移動交換機（ＭＳＣ）１０４内の加入者情報記憶部３０４は、位置登録要求信号４０１を受信すると、第５図に示すように、この移動機１００の最終位置登録エリア情報５０４をＬＡ３に変更する。また、過去Ｌ時間の位置登録エリア移行記録５０１には、位置登録エリア（ＬＡ１＋ＬＡ２）⇔ＬＡ３の移動を時刻と共に記録する（ステップＳ１００３）。
【００８１】
次に、この移動機１００に対する過去Ｐ時間の着信記録５０３を参照し、単位時間当たりの着信回数Ｑが閾値Ｒを超えていないこと（第７図のステップＳ７０２：Ｎｏに該当）、および過去Ｌ時間の累積移動回数５０２を参照して単位時間当たりの位置登録エリア（ＬＡ１＋ＬＡ２）⇔ＬＡ３間の移動回数Ｍが閾値Ｎを超えたこと（第７図のステップＳ７０３：Ｙｅｓに該当）、がいずれも満たされるか判断する。いずれも満たされている場合には、位置登録エリアＬＡ１＋ＬＡ２と、ＬＡ３を同一の位置登録エリア（ＬＡ１＋ＬＡ２＋ＬＡ３）とすることを決定する（ステップＳ１００４）。
【００８２】
このとき、加入者情報記憶部３０４の最終位置登録エリア情報５０４には、ＬＡ３が記録され、最終位置登録エリア情報拡張部５０５には、ＬＡ１と、ＬＡ２が記録される。そして、移動交換機１０４は、移動機１００に対して、第６図に示した位置登録要求応答信号４０２を送信する。この位置登録要求信号４０１の登録完了位置登録エリア４０２ａの情報としては、最終位置登録エリア情報５０４に記録されたＬＡ３が設定され、拡張登録完了位置登録エリア４０２ｂの情報としては、最終位置登録エリア情報拡張部５０５に記録されたＬＡ１＋ＬＡ２が設定される。この位置登録要求応答信号４０２は、位置登録エリアＬＡ３の基地局制御装置（ＲＮＣ３）１１１ｃから基地局（ＢＳ３）１０１ｃを介して移動機１００に送信される。
【００８３】
移動機１００は、この位置登録要求応答信号４０２を受信すると、位置登録エリア記憶部２０５の最終位置登録エリア情報部６０１に登録完了位置登録エリア４０２ａの情報であるＬＡ３を書き込む。また、最終位置登録エリア情報拡張部６０２に拡張登録完了位置登録エリア４０２ｂの情報である（ＬＡ１＋ＬＡ２）を書き込む（ステップＳ１００５）。
【００８４】
上記手順によれば、着信頻度の低い移動機１００が異なる位置登録エリアの間を跨った移動の頻度が、予め設定された閾値を超えるたびに、これらの異なる位置登録エリアを結合していく。そして、移動機１００がこの新たに拡大された位置登録エリア内で移動する場合、この移動機１００は位置登録手順を実施しない。このように、移動頻度が多く、着信頻度が少ない移動機１００ほど、位置登録エリアが拡張していくことになる。このような移動機１００は、位置登録エリアの間を跨いで移動する毎に拡張された位置登録エリア内に在圏位置登録している割合が高くなるため、位置登録手順を起動させる回数を少なくすることができ、移動機１００と網との間における位置登録にかかる無駄な送受信を省き、無線リソースの効率的な使用が図れるようになる。
【００８５】
次に、以上説明した位置登録エリアの拡大解除にかかる全体の処理手順を説明する。第１１図は、位置登録エリアの拡張解除手順を示すシーケンス図である。以下、第１０図に示した拡張状態の位置登録エリアを拡張解除する手順を説明する。
【００８６】
移動機１００は、位置登録エリアＬＡ１＋ＬＡ２＋ＬＡ３を拡張した一つの位置登録エリアとして使用している。また、移動機１００は、位置登録エリアＬＡ２の配下に在圏しているとする（ステップＳ１１０１）。この移動機１００への着信要求が発生した場合、移動交換機１０４は、加入者情報記憶部３０４の過去Ｐ時間の着信記録５０３に着信があったことをその時刻と共に記録する（ステップＳ１１０２）。また、この過去Ｐ時間の着信記録５０３を参照し、一定時間内の移動機１００の着信回数Ｑが予め設定した閾値Ｒを超えたか判断する（第８図のステップＳ８０２に該当）。超えている場合には、移動交換機１０４は、拡大された位置登録エリアを含む全ての位置登録エリアを元に戻すことを決定する（ステップＳ１１０３）。
【００８７】
そして、移動交換機１０４は、拡大された位置登録エリア全て（ＬＡ１，ＬＡ２，ＬＡ３）にページング手順を起動する。移動交換機１０４は、移動機１００に送信するページング要求信号４０３（第４図参照）に、拡大位置登録解除通知４０３ｂの情報を含ませる。この拡大位置登録解除通知４０３ｂによって、全ての位置登録エリアが元に戻されたことを移動機１００に通知する。
【００８８】
この情報を受信した移動機１００は、位置登録エリア記憶部２０５の最終位置登録エリア情報部６０１と、最終位置登録エリア情報拡張部６０２とに、それぞれ拡張解除を示す情報（例えば、ＮＵＬＬ）を書き込む（ステップＳ１１０４）。そして、移動機１００は、ページング応答信号４０４（第４図参照）に拡大位置登録解除応答４０４ｂの情報を含み、移動交換機１０４に対して拡大位置登録解除通知４０３ｂの情報を正常に受信したことを通知する。
【００８９】
この後、移動交換機１０４は、拡大位置登録解除応答４０４ｂの情報を含むページング応答信号４０４を受信することにより、この移動機１００に関する全ての位置登録エリアに関する情報を消去し、拡大された位置登録エリアを全て戻す（ステップＳ１１０５）。具体的には、加入者情報記憶部３０４の最終位置登録エリア情報５０４と、最終位置登録エリア情報拡張部５０５に格納された情報を消去する。この状態で移動機１００は、着信を受けて通信中となる（ステップＳ１１０６）。
【００９０】
そして、移動機１００は、通信の終了後、移動機１００内部に記憶された最終位置登録エリアが拡張解除の状態（ＮＵＬＬ）であることに基づき、現在、網に位置登録されていないことを認識して新たに位置登録手順を起動する（ステップＳ１１０７）。このとき、移動機１００は、位置登録エリアＬＡ２に在圏しているため、該当する基地局制御装置（ＲＮＣ２）１１１ｂから基地局（ＢＳ２）１０１ｂを介して報知情報（ＬＡ２）を受信する。そして、移動機１００は、この報知情報に基づいて、現在の位置登録エリアがＬＡ２であることを認識し、位置登録要求信号４０１（第５図参照）を送信する。このとき、位置登録要求信号４０１の旧位置登録エリア４０１ａ、および拡張旧位置登録エリア４０１ｂの情報は、いずれもＮＵＬＬである。
【００９１】
移動交換機１０４は、位置登録要求信号４０１を受信すると、通常の位置登録手順を実施し、加入者情報記憶部３０４における、この移動機１００の最終位置登録エリア情報５０４をＬＡ２に変更する（ステップＳ１１０８）。そして、移動交換機１０４は、移動機１００に対して、第６図に示した位置登録要求応答信号４０２を送信する。この位置登録要求応答信号４０２の登録完了位置登録エリア４０２ａの情報としては、最終位置登録エリア情報５０４に記録されたＬＡ２が設定されている。移動機１００は、位置登録エリア記憶部２０５の最終位置登録エリア情報部６０１に最終位置登録エリアとしてＬＡ２を書き込む（ステップＳ１１０９）。
【００９２】
このように、拡大された位置登録エリアは、移動機１００への着信頻度が予め設定された閾値を超えた際にクリア、すなわち、元に戻すことができる。すなわち、着信頻度が多い移動機１００については、位置登録エリアの拡大を解除する。したがって、この移動機１００への着信時に、移動機１００に対して複数の位置登録エリアの基地局（ＢＳ）から送信するページング信号の増大を回避できる。これにより、網の通信負担を軽減させ、無線リソースを効率的に利用できるようになる。
【００９３】
以上において本発明は、上述した実施の形態に限らず、種々変更可能である。例えば、移動機１００は、位置登録エリアの拡大解除時に、第６図に示した最終位置登録エリア情報部６０１に格納された位置登録エリアの情報をクリアせず、最終位置登録エリア情報拡張部６０２に格納されている拡大した位置登録エリアの情報のみをクリアする構成としてもよい。このクリア時に在圏していた位置登録エリアが最終位置登録エリア情報部６０１に記録された位置登録エリアと同じであるか判断すれば、同じ場合には位置登録要求信号を網に送信せずに済むため、無線リソースのより効率的な使用が図れるようになる。
【００９４】
また、以上説明した位置登録エリアの拡張および拡張解除にかかる方法は、予め用意されたプログラムをパーソナル・コンピュータやワークステーション等のコンピュータで実行することにより実現することができる。このプログラムは、各種記録媒体に記録され、コンピュータによって記録媒体から読み出されることによって実行される。また、このプログラムは、インターネット等のネットワークを介して配布することが可能な伝送媒体であってもよい。
【００９５】
以上説明したように、本発明によれば、移動機の移動状態に対応して最適な位置登録エリアを設定することができるようになる。そして、着信頻度が低く、位置登録エリアの間を頻繁に移動する移動機については、複数の位置登録エリアを結合することにより、移動機から網に対する位置登録の要求頻度を低減化させる。また、着信頻度が高い移動機については、着信時に複数の位置登録エリアの結合を解除するため、位置登録エリアの単純な拡大を防止でき、着信時に網から移動機に送信するページング信号の増大を回避できる。したがって、網の通信負荷を軽減し、無線リソースを効率的に使用できるようになるという効果を奏する。
【産業上の利用可能性】
【００９６】
以上のように本発明は、移動機が移動体通信網内の異なる位置登録エリアの間を移動した場合であっても、移動状態に対応した適切な位置登録を行い、新たな位置登録エリアに移動したときのみ移動機に対して新たな位置登録を行わせて無線リソースを効率的に使用できる移動交換機を提供することに適している。また、本発明は、移動体通信網内の異なる位置登録エリアの間を移動した場合であっても、移動状態に対応した適切な位置登録を行い、新たな位置登録エリアに移動したときのみ位置登録要求を送信して無線リソースを効率的に使用できる移動機を提供することに適している。また、本発明は、移動機が移動体通信網内の異なる位置登録エリアの間を移動した場合であっても、移動交換機では移動状態に対応した適切な位置登録を行い、移動機では新たな位置登録エリアに移動したときのみ新たな位置登録を要求して無線リソースを効率的に使用できる移動体通信システムおよび位置登録拡張方法を提供することに適している。
【図面の簡単な説明】
【００９７】
【図１】本発明にかかる移動体通信システムを構成する移動機と網の各構成、および位置登録エリアを示す概要図である。
【図２】移動機の内部構成を示すブロック図である。
【図３】移動交換機の内部構成を示すブロック図である。
【図４】移動機と網（移動交換機）との間で送受される位置登録エリアの拡張および解除に関する信号内容を示す図である。
【図５】移動交換機の加入者情報記憶部に格納される位置登録エリアに関するデータを示す図である。
【図６】移動機に設けられる位置登録エリア記憶部の内部構成を示す図である。
【図７】位置登録エリア拡大時における移動交換機の動作を説明するフローチャートである。
【図８】位置登録エリア拡大解除時における移動交換機の動作を説明するフローチャートである。
【図９】位置登録エリアの拡張手順を示すシーケンス図である。
【図１０】位置登録エリアをさらに拡張させる手順を示すシーケンス図である。
【図１１】位置登録エリアの拡張解除手順を示すシーケンス図である。
【図１２】従来の移動機の位置登録手順の一例を説明するためのシーケンス図である。
【図１】
2008136241.tif 000003
【図２】
2008136241.tif 000004
【図３】
2008136241.tif 000005
【図４】
2008136241.tif 000006
【図５】
2008136241.tif 000007
【図６】
2008136241.tif 000008
【図７】
2008136241.tif 000009
【図８】
2008136241.tif 000010
【図９】
2008136241.tif 000011
【図１０】
2008136241.tif 000012
【図１１】
2008136241.tif 000013
【図１２】
2008136241.tif 000014